(57)【要約】【課題】実物の書籍とサーバ上の電子データとを適切に連携させる事が出来るシステムの提供。【解決手段】書籍のＡＲマーカを撮像する撮像部と、表示部と、操作入力部と、撮像部により撮像されたＡＲマーカを認識し、認識したＡＲマーカから対応する書籍の書籍情報を抽出するＡＲマーカ認識部と、抽出された書籍情報を用いて、書籍コンテンツサーバーから該当する書籍の書籍コンテンツデータを取得する書籍コンテンツデータ取得部と、取得した書籍コンテンツデータを該当する書籍の書籍コンテンツとして表示部を介してユーザに提示する書籍コンテンツ提示部と、ユーザからの指示に基づき、ユーザに提示された書籍コンテンツの少なくとも一部を選択する印刷部分選択部と、選択された書籍コンテンツの箇所を印刷データとして画像形成装置に送信し、印刷させる印刷データ送信部とを備える。【選択図】図５
2018200609.tif 000002
【特許請求の範囲】
【請求項１】
ネットワーク接続された、書籍コンテンツサーバーと画像形成装置とモバイル端末とを含み、
前記モバイル端末は、
前記書籍コンテンツサーバーおよび前記画像形成装置と通信可能な通信部と、
書籍のＡＲマーカーを撮像する撮像部と、
表示部と、
操作入力部と、
前記撮像部により撮像された前記ＡＲマーカーを認識し、認識した前記ＡＲマーカーから対応する書籍の書籍情報を抽出するＡＲマーカー認識部と、
前記ＡＲマーカー認識部により抽出された前記書籍情報を用いて、前記書籍コンテンツサーバーから該当する書籍の書籍コンテンツデータを取得する書籍コンテンツデータ取得部と、
前記書籍コンテンツデータ取得部が取得した前記書籍コンテンツデータを該当する書籍の書籍コンテンツとして前記表示部を介してユーザーに提示する書籍コンテンツ提示部と、
前記ユーザーからの指示に基づき、前記書籍コンテンツ提示部により前記ユーザーに提示された書籍コンテンツの少なくとも一部を選択する印刷部分選択部と、
前記印刷部分選択部により選択された書籍コンテンツの箇所を印刷データとして前記画像形成装置に送信し、印刷させる印刷データ送信部と
を備えた
情報処理システム。
【請求項２】
請求項１に記載の情報処理システムであって、
前記ＡＲマーカーは、前記書籍の書籍包装材上に印刷またはシールとして貼付されている
情報処理システム。
【請求項３】
請求項２に記載の情報処理システムであって、
前記書籍包装材は、前記書籍の立ち読みを防止するためのものである
情報処理システム。
【請求項４】
請求項２または３に記載の情報処理システムであって、
前記書籍包装材への前記ＡＲマーカーの印刷または貼付は、前記書籍の出版会社または取扱会社により行われる
情報処理システム。
【請求項５】
ネットワーク接続された、書籍コンテンツサーバーと画像形成装置とモバイル端末とを含む情報処理システムにおける情報処理方法であって、
書籍のＡＲマーカーを撮像し、
撮像された前記ＡＲマーカーを認識し、認識した前記ＡＲマーカーから対応する書籍の書籍情報を抽出し、
抽出された前記書籍情報を用いて、前記書籍コンテンツサーバーから該当する書籍の書籍コンテンツデータを取得し、
取得した前記書籍コンテンツデータを該当する書籍の書籍コンテンツとして表示部を介してユーザーに提示し、
前記ユーザーからの指示に基づき、前記ユーザーに提示された書籍コンテンツの少なくとも一部を選択し、
前記選択された書籍コンテンツの箇所を印刷データとして前記画像形成装置に送信し、印刷させる
ことを前記モバイル端末が実行する
情報処理方法。
【発明の詳細な説明】
【技術分野】
【０００１】
本発明は、コンビニエンスストア等で販売される書籍の内容を印刷する画像形成装置（ＭＦＰ、Multifunction Peripheral）を含んだ情報処理システムおよび情報処理方法に関する。
【背景技術】
【０００２】
従来、サーバーに保存された電子データと書籍を連携させて活用する工夫がなされてきた。
【０００３】
例えば、特許文献１の技術では、雑誌の各ページにシリアル番号が格納された非接触ＩＣチップを埋め込んでおき、非接触ＩＣチップのリーダ／ライタを左右２つ備えた画像形成装置で各ページの情報を読み込んで現在開かれているページを特定し、そのページに紐付いた広告をサーバーから取得して画像形成装置で印刷出力するものである。
【０００４】
また、例えば、特許文献２の技術では、サーバーに登録された電子出版データを店舗に設置されている画像形成装置から閲覧し、書物全体、章単位、またはページ単位で購入する。購入された電子出版データはサーバーから画像形成装置にダウンロードされ、印刷されたり、記憶媒体に保存されたりする。
【先行技術文献】
【特許文献】
【０００５】
【特許文献１】特開２００６−１１０８５４号公報
【特許文献２】特開２００５−２５３２６号公報
【発明の概要】
【発明が解決しようとする課題】
【０００６】
実物の書籍とサーバー上の電子データを連携させる工夫はなされてきているものの、まだ改良の余地はあった。
【０００７】
以上のような事情に鑑み、本発明の目的は、実物の書籍とサーバー上の電子データとを適切に連携させる事が出来る情報処理システムおよび情報処理方法を提供することにある。
【課題を解決するための手段】
【０００８】
上記目的を達成するため、本発明の一形態に係る情報処理システムは、ネットワーク接続された、書籍コンテンツサーバーと画像形成装置とモバイル端末とを含み、前記モバイル端末は、前記書籍コンテンツサーバーおよび前記画像形成装置と通信可能な通信部と、書籍のＡＲマーカーを撮像する撮像部と、表示部と、操作入力部と、前記撮像部により撮像された前記ＡＲマーカーを認識し、認識した前記ＡＲマーカーから対応する書籍の書籍情報を抽出するＡＲマーカー認識部と、前記ＡＲマーカー認識部により抽出された前記書籍情報を用いて、前記書籍コンテンツサーバーから該当する書籍の書籍コンテンツデータを取得する書籍コンテンツデータ取得部と、前記書籍コンテンツデータ取得部が取得した前記書籍コンテンツデータを該当する書籍の書籍コンテンツとして前記表示部を介してユーザーに提示する書籍コンテンツ提示部と、前記ユーザーからの指示に基づき、前記書籍コンテンツ提示部により前記ユーザーに提示された書籍コンテンツの少なくとも一部を選択する印刷部分選択部と、前記印刷部分選択部により選択された書籍コンテンツの箇所を印刷データとして前記画像形成装置に送信し、印刷させる印刷データ送信部とを備える。
【０００９】
そのため、実物の書籍とサーバー上の電子データとを適切に連携させる事が出来る。
【００１０】
上記目的を達成するため、本発明の一形態に係る情報処理システムでは、前記ＡＲマーカーは、前記書籍の書籍包装材上に印刷またはシールとして貼付されている構成でもよい。
【００１１】
上記目的を達成するため、本発明の一形態に係る情報処理システムでは、前記書籍包装材は、前記書籍の立ち読みを防止するためのものであってもよい。
【００１２】
上記目的を達成するため、本発明の一形態に係る情報処理システムでは、前記書籍包装材への前記ＡＲマーカーの印刷または貼付は、前記書籍の出版会社または取扱会社により行われてもよい。
【００１３】
上記目的を達成するため、本発明の一形態に係る情報処理方法は、ネットワーク接続された、書籍コンテンツサーバーと画像形成装置とモバイル端末とを含む情報処理システムにおける情報処理方法であって、書籍のＡＲマーカーを撮像し、撮像された前記ＡＲマーカーを認識し、認識した前記ＡＲマーカーから対応する書籍の書籍情報を抽出し、抽出された前記書籍情報を用いて、前記書籍コンテンツサーバーから該当する書籍の書籍コンテンツデータを取得し、取得した前記書籍コンテンツデータを該当する書籍の書籍コンテンツとして表示部を介してユーザーに提示し、前記ユーザーからの指示に基づき、前記ユーザーに提示された書籍コンテンツの少なくとも一部を選択し、前記選択された書籍コンテンツの箇所を印刷データとして前記画像形成装置に送信し、印刷させることを前記モバイル端末が実行する。
【発明の効果】
【００１４】
以上のように、本発明によれば、実物の書籍とサーバー上の電子データとを適切に連携させる事が出来る。
【図面の簡単な説明】
【００１５】
【図１】本発明の一実施形態に係る情報処理システム１００の全体構成図である。
【図２】書籍コンテンツサーバー１０が一般的なコンピューターにより構成される場合の構成図である。
【図３】画像形成装置２０の構成を概略的に示す構成図である。
【図４】モバイル端末３０が一般的なコンピューターにより構成される場合の構成図である。
【図５】情報処理システム１００における処理の流れについて説明するためのフローチャートである。
【発明を実施するための形態】
【００１６】
以下、図面を参照しながら、本発明の実施形態を説明する。
【００１７】
［概要］
本発明は、コンビニエンスストアで販売されている書籍に、ユーザーが所有するスマートフォンなどのモバイル端末をかざすと、書籍の内容がＡＲ（Augmented Reality：拡張現実）技術を用いてモバイル端末上に提示されるので、ユーザーが欲しい部分を選択すると、ストア内に設置されている画像形成装置によりその部分を印刷して入手することが出来る、というものである。
【００１８】
最近のユーザーはスマートフォンなどのモバイル端末を持っているので、このモバイル端末を利用したサービスを提供するものである。
【００１９】
コンビニエンスストアでは、雑誌や書籍などを置いて販売しているが、これらは立ち読み防止のためテープやカバーで閉じてあって内容が立ち読み出来ないようにされていることがよくある。立ち読みを防止するという意味では効果があるが、実際に内容を確認してから購入を検討するユーザーがいるため、これらのユーザーにとってはマイナス面となりかねない。
【００２０】
そこで、内容が立ち読み出来ないという問題を回避するため、書籍の内容を電子化したコンテンツデータをサーバーに保存しておき、ユーザーが書籍をモバイル端末のカメラで撮影し選択すると、保存しておいたコンテンツデータをＡＲ技術を用いてモバイル端末に表示させる。
【００２１】
ユーザーは、表示された書籍コンテンツから必要な部分を選択することが出来、必要なページだけを店内にある画像形成装置を用いて印刷することが出来る。
【００２２】
なお、ユーザーにより選択された書籍の映像に重畳して書籍のコンテンツを提示するためのＡＲマーカーとして、書籍の表紙に印刷された二次元コード又はシールとして貼付された二次元コードを用いたり、書籍の表紙全体または一部をそのまま用いたりすることが出来る。
【００２３】
なお、ここでいうＡＲマーカーとは、モバイル端末の表示部に映された書籍の映像に書籍のコンテンツを重畳表示させる位置を示すマーカーであるとともに、サーバーから書籍のコンテンツを取得する際のキーとなるＩＤ（Identification）である書籍情報を提供するものである。
【００２４】
また、書籍コンテンツが関連付けられた二次元コードなどのＡＲマーカーを印刷または貼付する対象は、書籍の表紙など書籍本体に限らず、立ち読み防止用のカバーや帯などの書籍包装材であってもよい。
【００２５】
また、書籍包装材への二次元コードなどのＡＲマーカーの印刷または貼付は、書籍の出版会社または取り扱い会社により行われてもよい。
【００２６】
なお、上述したＡＲマーカーに代わり、コンビニエンスストアに設置されているサービス端末の表示部や、実際に書籍コンテンツを印刷する画像形成装置の表示部に二次元コードを表示させてモバイル端末で読み取り、モバイル端末の専用アプリケーションプログラムを利用して画像形成装置への印刷を可能にする構成でもよい。
【００２７】
本発明に係る情報処理システムを導入する利点は、コンビニエンスストアとしては、ユーザーが書籍コンテンツの一部を印刷するので、印刷枚数が増え利益をあげることが出来る点である。また、ユーザーとしては、不要な雑誌、書籍を買わなくても済む点である。
【００２８】
なお、書籍の購入につながったときは、割引サービスなどを併用して、ユーザーの支払った印刷代を補助するということも考えられる。
【００２９】
以上、概要について説明した。
【００３０】
［全体構成］
次に、本発明の一実施形態に係る情報処理システムの全体構成について説明する。図１は、本発明の一実施形態に係る情報処理システム１００の全体構成図である。
【００３１】
情報処理システム１００は、ネットワーク接続された、書籍コンテンツサーバー１０、画像形成装置２０、およびモバイル端末３０を含んで構成される。
【００３２】
画像形成装置２０は、コンビニエンスストアに設置されており、モバイル端末３０から指定された印刷データを印刷する。
【００３３】
モバイル端末３０は、コンビニエンスストアに来たユーザーが所有するものであり、コンビニエンスストアで販売されている書籍ＢＫ（立ち読み防止用のカバーが掛けられており中身が見られないもの）に表示されているＡＲマーカーを読み取り、書籍内容の電子データ（書籍コンテンツデータ）をサーバーから取得してユーザーに提示する。
【００３４】
また、モバイル端末３０は、ユーザーによる書籍コンテンツの選択の結果を受け付け、選択された書籍コンテンツを印刷データとして画像形成装置２０に送信し、印刷させる。
【００３５】
書籍コンテンツサーバー１０は、モバイル端末３０からの要求に従って、選択された書籍の電子データである書籍コンテンツデータをモバイル端末３０に提供する。なお、書籍コンテンツサーバー１０は、コンビニエンスストア内に設置されていてもよいが、通常は、コンビニエンスストアチェーン本部などのセンターに設置されていてもよい。
【００３６】
以上、本発明の一実施形態に係る情報処理システム１００の全体構成について説明した。
【００３７】
［書籍コンテンツサーバーの構成］
次に、書籍コンテンツサーバー１０の構成について説明する。書籍コンテンツサーバー１０は、専用のハードウェアやソフトウェアにより構成されていてもよいし、一般的なコンピューターにより構成されてもよい。書籍コンテンツサーバー１０が一般的なコンピューターにより構成される場合の構成図を図２に示す。
【００３８】
同図に示すように、書籍コンテンツサーバー１０は、ＣＰＵ（Central Processing Unit）１１、ＲＯＭ（Read Only Memory）１２、ＲＡＭ（Random Access Memory）１３、操作入力部１４、通信部１５、表示部１６、および記憶部１７を有し、これら各ブロックがバス１８を介して接続されている。
【００３９】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００４０】
記憶部１７は、例えばＨＤＤ（Hard Disk Drive）や、フラッシュメモリー、その他の不揮発性メモリーである。記憶部１７には、ＯＳや各種アプリケーション、各種データ、書籍コンテンツデータ１７ａが記憶される。
【００４１】
書籍コンテンツデータ１７ａは、コンビニエンスストアで販売される書籍の内容を電子データで表したものである。
【００４２】
通信部１５は、ネットワーク上の画像形成装置２０、モバイル端末３０等と情報のやりとりを行う為のネットワークと結ばれている。
【００４３】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００４４】
操作入力部１４は、例えばマウス等のポインティングデバイス、キーボード、タッチパネル、その他の操作装置である。
【００４５】
表示部１６は、例えば液晶ディスプレイ、ＥＬ（Electro-Luminescence）ディスプレイ、プラズマディスプレイ等である。
【００４６】
次に、ＣＰＵ１１においてプログラムが実行されることにより実現される機能ブロックについて説明する。
【００４７】
書籍コンテンツサーバー１０のＣＰＵ１１において実現される機能ブロックは、書籍コンテンツデータ提供部１１ａである。
【００４８】
書籍コンテンツデータ提供部１１ａは、ＡＲマーカーを読み取ったモバイル端末３０からの要求に応じて、記憶部１７に記憶している書籍コンテンツデータ１７ａをモバイル端末３０に提供する。
【００４９】
以上、書籍コンテンツサーバー１０の構成について説明した。
【００５０】
［画像形成装置の構成］
次に、画像形成装置の構成について説明する。図３は画像形成装置２０の構成を概略的に示す構成図である。
【００５１】
画像形成装置２０は、制御部２１を備える。制御部２１は、ＣＰＵ、ＲＡＭ、ＲＯＭ、および専用のハードウェア回路等から構成され、画像形成装置２０の全体的な動作制御を司る。
【００５２】
制御部２１は、原稿読取部２２、画像処理部２３、画像メモリー２４、画像形成部２５、操作部２６、表示部２６ａ、ファクシミリ通信部２７、通信部２８、記憶部２９等と接続されている。制御部２１は、接続されている上記各部の動作制御や、各部との間での信号又はデータの送受信を行う。
【００５３】
制御部２１は、ユーザーから、操作部２６またはネッワーク接続されたＰＣ等を通じて入力されるジョブの実行指示に従って、スキャナー機能、印刷機能、コピー機能、およびファクシミリ送受信機能などの各機能についての動作制御を実行するために必要な機構の駆動及び処理を制御する。
【００５４】
また、制御部２１は、印刷データ受信部２１ａおよび印刷データ印刷部２１ｂを有している。
【００５５】
印刷データ受信部２１ａおよび印刷データ印刷部２１ｂは、ＲＯＭなどからＲＡＭにロードされたプログラムがＣＰＵにより実行されることで実現される機能ブロックである。
【００５６】
印刷データ受信部２１ａは、通信部２８経由でモバイル端末３０から印刷データを受信する。
【００５７】
印刷データ印刷部２１ｂは、印刷データ受信部２１ａが端末３０から受信した印刷データを画像形成部２５により印刷させる。
【００５８】
原稿読取部２２は、原稿から画像を読み取る。
【００５９】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００６０】
画像メモリー２４は、原稿読取部２２による読み取りで得られた原稿画像のデータを一時的に記憶したり、画像形成部２５での印刷対象となるデータを一時的に記憶したりする領域である。
【００６１】
画像形成部２５は、原稿読取部２２で読み取られた画像データ等の画像形成を行う。
【００６２】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００６３】
ファクシミリ通信部２７は、図示しない符号化／復号化部、変復調部、およびＮＣＵ（Network Control Unit）を備え、公衆電話回線網を用いてのファクシミリの送信を行う。
【００６４】
通信部２８は、ＬＡＮボード等の通信モジュールから構成され、通信部２８に接続されたＬＡＮ等を介して、ネットワーク上の装置(書籍コンテンツサーバー１０、モバイル端末３０等)と種々のデータの送受信を行う。
【００６５】
記憶部２９は、原稿読取部２２によって読み取られた原稿画像などを記憶する。記憶部２９は、ＨＤＤなどの大容量の記憶装置である。
【００６６】
以上、画像形成装置２０の構成について説明した。
【００６７】
［モバイル端末の構成］
次に、モバイル端末３０の構成について説明する。モバイル端末３０は、専用のハードウェアやソフトウェアにより構成されていてもよいし、一般的なコンピューターにより構成されてもよい。モバイル端末３０が一般的なコンピューターにより構成される場合の構成図を図４に示す。
【００６８】
同図に示すように、モバイル端末３０は、ＣＰＵ３１、ＲＯＭ３２、ＲＡＭ３３、操作入力部３４、通信部３５、表示部３６、記憶部３７、およびカメラ３９（撮像部）を有し、これら各ブロックがバス３８を介して接続されている。
【００６９】
ＲＯＭ３２は、各種の処理を実行するためのファームウェア等の複数のプログラムやデータを記憶する。ＲＡＭ３３は、ＣＰＵ３１の作業用領域として用いられ、ＯＳ、実行中の各種アプリケーション、処理中の各種データを一時的に保持する。
【００７０】
記憶部３７は、例えばＨＤＤや、フラッシュメモリー、その他の不揮発性メモリーである。記憶部３７には、ＯＳや各種アプリケーション、各種データが記憶される。
【００７１】
カメラ３９は、書籍が置かれている棚およびＡＲマーカーを撮像する。
【００７２】
通信部３５は、ネットワーク上の書籍コンテンツサーバー１０および画像形成装置２０等と情報のやりとりを行う為のネットワークと結ばれている。
【００７３】
ＣＰＵ３１は、ＲＯＭ３２や記憶部３７に格納された複数のプログラムのうち、操作入力部３４から与えられる命令に対応するプログラムをＲＡＭ３３に展開し、この展開されたプログラムにしたがって、表示部３６及び記憶部３７を適宜制御する。
【００７４】
操作入力部３４は、例えばタッチパネル、その他の操作装置である。
【００７５】
表示部３６は、例えば液晶ディスプレイ、ＥＬディスプレイ等である。表示部３６には、カメラで撮影した書籍の映像と、ユーザーが選択した書籍のＡＲマーカーに対応した書籍コンテンツとが重畳されて表示される。
【００７６】
次に、ＣＰＵ３１においてプログラムが実行されることにより実現される機能ブロックについて説明する。
【００７７】
モバイル端末３０のＣＰＵ３１において実現される機能ブロックは、ＡＲマーカー認識部３１ａ、書籍コンテンツデータ取得部３１ｂ、書籍コンテンツ提示部３１ｃ、印刷部分選択部３１ｄ、および印刷データ送信部３１ｅである。
【００７８】
ＡＲマーカー認識部３１ａは、カメラ３９により撮像されたＡＲマーカーを認識し、認識したＡＲマーカーから対応する書籍の書籍情報を抽出する。
【００７９】
書籍コンテンツデータ取得部３１ｂは、ＡＲマーカー認識部３１ａにより抽出された書籍情報を用いて、書籍コンテンツサーバー１０から該当する書籍の書籍コンテンツデータを取得する。
【００８０】
書籍コンテンツ提示部３１ｃは、書籍コンテンツデータ取得部３１ｂが取得した書籍コンテンツデータを該当する書籍の書籍コンテンツとして表示部３６を介してユーザーに提示する。
【００８１】
印刷部分選択部３１ｄは、ユーザーからの指示に基づき、書籍コンテンツ提示部３１ｃによりユーザーに提示された書籍コンテンツの少なくとも一部を選択する。
【００８２】
印刷データ送信部３１ｅは、印刷部分選択部３１ｄにより選択された書籍コンテンツの箇所を印刷データとして画像形成装置２０に送信し、印刷させる。
【００８３】
以上、モバイル端末３０の構成について説明した。
【００８４】
［処理の流れ］
次に、情報処理システム１００における処理の流れについて説明する。図５は、情報処理システム１００における処理の流れについて説明するためのフローチャートである。
【００８５】
まず、ユーザーが自分のモバイル端末３０のカメラ３９を用いて、中身のコンテンツを見たい書籍のＡＲマーカーを撮像する（ステップＳ１）。
【００８６】
次に、ＡＲマーカー認識部３１ａが、カメラ３９により撮像された画像内のＡＲマーカーを認識し、認識したＡＲマーカーから対応する書籍の書籍情報を抽出する（ステップＳ２）。
【００８７】
次に、書籍コンテンツデータ取得部３１ｂが、ＡＲマーカー認識部３１ａにより抽出された書籍情報を用いて、書籍コンテンツサーバー１０から該当する書籍の書籍コンテンツデータを取得する（ステップＳ３）。
【００８８】
次に、書籍コンテンツ提示部３１ｃが、書籍コンテンツデータ取得部３１ｂが取得した書籍コンテンツデータを該当する書籍の書籍コンテンツとして表示部３６を介してユーザーに提示する（ステップＳ４）。
【００８９】
次に、印刷部分選択部３１ｄが、ユーザーからの指示に基づき、書籍コンテンツ提示部３１ｃによりユーザーに提示された書籍コンテンツの少なくとも一部を選択する（ステップＳ５）。
【００９０】
次に、印刷データ送信部３１ｅが、印刷部分選択部３１ｄにより選択された書籍コンテンツの箇所を印刷データとして画像形成装置２０に送信する（ステップＳ６）。
【００９１】
次に、画像形成装置２０が、モバイル端末３０から受信した印刷データを印刷する（ステップＳ７）。
【００９２】
以上、情報処理システム１００における処理の流れについて説明した。
【００９３】
［補足事項］
以上のように、本発明の情報処理システム１００は、ネットワーク接続された、書籍コンテンツサーバー１０と画像形成装置２０とモバイル端末３０とを含み、前記モバイル端末３０は、前記書籍コンテンツサーバー１０および前記画像形成装置２０と通信可能な通信部３５と、書籍のＡＲマーカーを撮像する撮像部３９と、表示部３６と、操作入力部３４と、前記撮像部３９により撮像された前記ＡＲマーカーを認識し、認識した前記ＡＲマーカーから対応する書籍ＢＫの書籍情報を抽出するＡＲマーカー認識部３１ａと、前記ＡＲマーカー認識部３１ａにより抽出された前記書籍情報を用いて、前記書籍コンテンツサーバー１０から該当する書籍ＢＫの書籍コンテンツデータを取得する書籍コンテンツデータ取得部３１ｂと、前記書籍コンテンツデータ取得部３１ｂが取得した前記書籍コンテンツデータを該当する書籍ＢＫの書籍コンテンツとして前記表示部３６を介してユーザーに提示する書籍コンテンツ提示部３１ｃと、前記ユーザーからの指示に基づき、前記書籍コンテンツ提示部３１ｃにより前記ユーザーに提示された書籍コンテンツの少なくとも一部を選択する印刷部分選択部３１ｄと、前記印刷部分選択部３１ｄにより選択された書籍コンテンツの箇所を印刷データとして前記画像形成装置２０に送信し、印刷させる印刷データ送信部３１ｅとを備える。
【００９４】
そのため、実物の書籍とサーバー上の電子データとを適切に連携させる事が出来る。
【００９５】
その他、本発明は、上述の実施形態にのみ限定されるものではなく、本発明の要旨を逸脱しない範囲内において種々変更を加え得ることは勿論である。
【符号の説明】
【００９６】
１０  …  書籍コンテンツサーバー
１１  …  ＣＰＵ
１１ａ…  書籍コンテンツデータ提供部
１２  …  ＲＯＭ
１３  …  ＲＡＭ
１４  …  操作入力部
１５  …  通信部
１６  …  表示部
１７  …  記憶部
１８  …  バス
２０  …  画像形成装置
２１  …  制御部
２１ａ…  印刷データ受信部
２１ｂ…  印刷データ印刷部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
３０  …  モバイル端末
３１  …  ＣＰＵ
３１ａ…  ＡＲマーカー認識部
３１ｂ…  書籍コンテンツデータ取得部
３１ｃ…  書籍コンテンツ提示部
３１ｄ…  印刷部分選択部
３１ｅ…  印刷データ送信部
３２  …  ＲＯＭ
３３  …  ＲＡＭ
３４  …  操作入力部
３５  …  通信部
３６  …  表示部
３７  …  記憶部
３８  …  バス
３９  …  カメラ
１００  …  情報処理システム
【図１】
2018200609.tif 000003
【図２】
2018200609.tif 000004
【図３】
2018200609.tif 000005
【図４】
2018200609.tif 000006
【図５】
2018200609.tif 000007